(57)【要約】【課題】ＩＣカードと磁性体層を積層して１つのＩＣタグ部を構成し、２つのＩＣタグ部により導体層を挟んで一体構成とすることにより表示部材を構成する。そしてこの表示部材の表裏に異なる情報を記録して個別に読み取るようにして、表裏の判断を可能とした表示部材を提供する。【解決手段】この表示部材３４は、ＩＣカード２００ａ及びＩＣカード２００ａを挟むように積層された磁性体層３３ａと保護部材３５ａとを有したＩＣタグ部３６ａと、ＩＣカード２００ｂ及びＩＣカード２００ｂを挟むように積層された磁性体層３３ｂと保護部材３５ｂとを有したＩＣタグ部３６ａと、導体層３２と、を備えて構成されている。【選択図】図４
2007257538.tif 000002
【特許請求の範囲】
【請求項１】
非接触情報記録媒体及び該非接触情報記録媒体の片面に積層された磁性体層を有したＩＣタグ部を備えた表示部材であって、
２つの前記ＩＣタグ部を夫々の磁性体層間に導体層を挟んで一体化したことを特徴とする表示部材。
【請求項２】
前記非接触情報記録媒体は、制御用ＩＣチップと、アンテナと、前記制御用ＩＣチップ及び前記アンテナを保持する保持部材と、を備えていることを特徴とする請求項１に記載の表示部材。
【請求項３】
請求項１又は２に記載の表示部材を支持する表示ボードであって、少なくとも２つ以上の第１のアンテナと、前記各第１のアンテナを包囲するように配置された第２のアンテナと、前記各第１のアンテナ及び前記第２のアンテナを保持する保持部材と、を備えたことを特徴とする表示ボード。
【請求項４】
前記第１のアンテナは、請求項１又は２に記載の表示部材と夫々対向する位置に配置され、且つ夫々の第１のアンテナは、対向して配置された表示部材に記録された記録情報のみを読み取るように構成されていることを特徴とする請求項３に記載の表示ボード。
【請求項５】
前記第２のアンテナは、該第２のアンテナから放射される磁束が前記各第１のアンテナと対向して配置された表示部材を同時に横切るように配置されていることを特徴とする請求項３又は４に記載の表示ボード。
【請求項６】
請求項３乃至５の何れか一項に記載の表示ボードと、該表示ボードに備えられた前記第１のアンテナ又は前記第２のアンテナの何れか一つを選択するアンテナ選択器と、該アンテナ選択器により選択された何れか一つのアンテナにより受信した情報を読み取るリーダ又はリーダライタと、制御部と、を備えたことを特徴とする表示部材読取装置。
【請求項７】
前記制御部は、前記アンテナ選択器により前記第２のアンテナを選択した時に、前記リーダ又はリーダライタによって記録情報が読み取られた場合、前記アンテナ選択器を前記第１のアンテナ側に切り替えて順次選択しながら、前記記録情報を記憶することを特徴とする請求項６に記載の表示部材読取装置。
【請求項８】
前記制御部は、前記アンテナ選択器により前記第２のアンテナを選択した時に、前記リーダ又はリーダライタによって記録情報が読み取られた場合、該記録情報を記憶し、次に前記第２のアンテナを選択した時に直前に記憶された記録情報と比較して、該記録情報に変化が生じていた場合、前記アンテナ選択器を前記第１のアンテナ側に切り替えることを特徴とする請求項６に記載の表示部材読取装置。
【発明の詳細な説明】
【技術分野】
【０００１】
本発明は、表示部材、表示ボード及び表示部材読取装置に関し、さらに詳しくは、表示部材の表面に表記した内容を視覚的に把握すると同時に、電子データとして記憶して管理する表示部材、表示ボード及び表示部材読取装置に関するものである。
【背景技術】
【０００２】
従来、会社等の多数の人が勤務する組織においては、在席の有無、出退勤の状況を関係者に表示する手段として、名札掛けボードが用いられている。名札掛けボードは、例えば板状の札の両面に所属する社員の名前を表記しておき、出社（在席）の場合は白い背景色に記入された名前記載面を表示し、退社（離席）の場合は反対面の赤い背景色に記入された名前記載面を表示することにより、出退勤の状態を表示するようにしている。また、他の出退勤の表示手段として、各人の名前を表記する札を半透明な材質（ガラスや樹脂等）で構成し、出社の場合は背後からランプを点灯させ、退社の場合はランプを消灯して、出退勤の状態をランプの点灯、消灯により表示するボードがある。しかしながら、これらのボードは、あくまでも視覚的に状態を把握するだけで、電子データとして管理されるものではなかった。そのため、組織の管理者が名札掛けボードを見て部下の出退勤を出勤簿等に記録しておき、月単位に集計するといった煩わしい作業が発生するといった問題がある。
【０００３】
また、近年ＲＦタグの発達により、各個人を認証するＩＤカードにより入出門を管理するシステムが実現しているが、第三者が各個人の入出門を把握するためには、端末装置などを操作してプログラムを起動して確認しなければならず、端末装置等を用いることなく、ボード等を見るだけの作業によって視覚的に状態を把握することはできなかった。
【０００４】
このように、視覚的に状態を把握することと、その情報を電子的に管理することを両立させるためには、名札等に取り付けたＲＦタグに名札の情報を電子的に記録しておき、名札をボードに掲示することで電子データを同時に読み取って管理する必要がある。更に、ＲＦタグを備えた名札を用いて出勤退勤状態を表示する場合に、名札の片面に出勤情報を記録したＲＦタグを、裏面に退勤情報を夫々記録したＲＦタグを備えた構造とすることが考えられるが、この場合には、読取時に名札の表裏に備えられたＲＦタグの記録情報を同時に読み取ってしまうといった不具合がある。
【０００５】
これらの課題を解決する一つの手段として特許文献１には、非接触ＩＣカードを入れるカードポケット部の片側に軟質磁性材料からなる磁力線遮蔽部を設けたり、あるいは、非接触ＩＣカードを入れる第１、第２のカードポケット部を、軟質磁性材料からなる磁力線遮蔽部の両側に配設し、第１、第２のカードポケット部のうちの一方のカードポケット部の外側には、完全導体層または反磁性体層からなる磁力線減衰部を設けることにより、ポケットを向ける面によりどの非接触ＩＣカードと交信するかを決定する技術について開示されている。
【特許文献１】特開平１０−２０１５１７号公報
【発明の開示】
【発明が解決しようとする課題】
【０００６】
しかしながら、特許文献１に開示されている従来技術は、ＩＣカードとポケット部が別体となっているため、全体の部品単価が高くなるといった問題がある。
本発明は、かかる課題に鑑み、ＩＣカードと磁性体層を積層して１つのＩＣタグ部を構成し、２つのＩＣタグ部により導体層を挟んで一体構成とすることにより表示部材を構成する。そしてこの表示部材の表裏に異なる情報を記録して個別に読み取るようにして、表裏の判断を可能とした表示部材を提供することを目的とする。
【０００７】
また他の目的は、１つの表示ボード上に大アンテナと各表示部材に対応した小アンテナを設け、大アンテナにより表示部材の有無を検知し、各小アンテナを選択的に切り替えることにより、表示部材の位置とその記録情報を読み取るようにして、効率よく表示部材の記録情報を読み取ることができる表示部材読取装置を提供することである。
【課題を解決するための手段】
【０００８】
本発明はかかる課題を解決するために、請求項１は、非接触情報記録媒体及び該非接触情報記録媒体の片面に積層された磁性体層を有したＩＣタグ部を備えた表示部材であって、２つの前記ＩＣタグ部を夫々の磁性体層間に導体層を挟んで一体化したことを特徴とする。
１つのＩＣタグ部は非接触情報記録媒体とフェライト等の磁性体層を積層して構成される。これにより、非接触情報記録媒体側から入射する磁束は、非接触情報記録媒体を通過して磁性体層により磁路が形成されて再び非接触情報記録媒体に戻る磁束ルートが形成される。従って、このような構成のＩＣタグ部を導体層を挟んで背中合わせに構成することにより、一方から入射した磁束は導体層を境に折り返されて、同時に２つのＩＣタグ部の情報を読み取ることはなくなる。
【０００９】
請求項２は、前記非接触情報記録媒体は、制御用ＩＣチップと、アンテナと、前記制御用ＩＣチップ及びアンテナを保持する保持部材と、を備えていることを特徴とする。
本発明の非接触情報記録媒体は、表示部材の形状と基本的に同じである。そのため、所謂、ＩＣカード状の構成であり、制御用ＩＣチップ、アンテナ及びこれらを保持する保持部材により構成されている。
請求項３は、請求項１又は２に記載の表示部材を支持する表示ボードであって、少なくとも２つ以上の第１のアンテナと、前記各第１のアンテナを包囲するように配置された第２のアンテナと、前記各第１のアンテナ及び前記第２のアンテナを保持する保持部材と、を備えたことを特徴とする。
本発明の表示ボードは、複数の第１のアンテナと、それらを囲むように配置された第２のアンテナと、各アンテナを保持する保持部材により構成されている。即ち、２種類のアンテナが配置された保持部材に表示部材を支持できるようにピン或いはスリットが設けられている。
【００１０】
請求項４は、前記第１のアンテナは、請求項１又は２に記載の表示部材と夫々対向する位置に配置され、且つ夫々の第１のアンテナは、対向して配置された表示部材に記録された記録情報のみを読み取るように構成されていることを特徴とする。
本発明は第１のアンテナにより表示部材の記録情報を読み取るために、アンテナと表示部材が１対１で構成されている。そしてアンテナは隣接する表示部材の記録情報を読み取らないように配置されなければならない。
請求項５は、前記第２のアンテナは、該第２のアンテナから放射される磁束が前記各第１のアンテナと対向して配置された表示部材を同時に横切るように配置されていることを特徴とする。
本発明の第２のアンテナは、第１のアンテナ全てを包囲するように配置されている。従って、第２のアンテナに電流を流した場合は、その磁束は全ての表示部材を同時に横切ることになる。従って、１つでも表示部材が存在すれば、その記録情報は第２のアンテナにより読み取ることができる。
【００１１】
請求項６は、請求項３乃至５の何れか一項に記載の表示ボードと、該表示ボードに備えられた前記第１のアンテナ又は前記第２のアンテナの何れか一つを選択するアンテナ選択器と、該アンテナ選択器により選択された何れか一つのアンテナにより受信した情報を読み取るリーダ又はリーダライタと、制御部と、を備えたことを特徴とする。
本発明の表示部材読取装置は、本発明の表示ボードと、表示ボードに備えられた第１と第２のアンテナを選択するアンテナ選択器と、アンテナ選択器により選択されたアンテナからの情報を読み取るリーダ又はリーダライタと、ＰＣ等により構成される制御部と、を備えて構成されている。
【００１２】
請求項７は、前記制御部は、前記アンテナ選択器により前記第２のアンテナを選択した時に、前記リーダ又はリーダライタによって記録情報が読み取られた場合、前記アンテナ選択器を前記第１のアンテナ側に切り替えて順次選択しながら、前記記録情報を記憶することを特徴とする。
第２のアンテナにより記録情報が読み取られた場合は、どの第１のアンテナからの記録情報かは判別することができない。そこで本発明では、そのような時は、アンテナ選択器を第１のアンテナ側に順次切り替えていき、記録情報を記憶するものである。
【００１３】
請求項８は、前記制御部は、前記アンテナ選択器により前記第２のアンテナを選択した時に、前記リーダ又はリーダライタによって記録情報が読み取られた場合、該記録情報を記憶し、次に前記第２のアンテナを選択した時に直前に記憶された記録情報と比較して、該記録情報に変化が生じていた場合、前記アンテナ選択器を前記第１のアンテナ側に切り替えることを特徴とする。
本発明は、全ての第１のアンテナを選択した後、再び第２のアンテナを選択するわけであるが、その時は、直前に読み取って記憶した情報と比較して記録情報に変化がなければ、表示部材が前のままであると判断して次の動作に進まず、記録情報に変化があれば、表示部材が付け替えられたと判断して第１のアンテナに切り替えるものである。
【発明の効果】
【００１４】
本発明によれば、非接触情報記録媒体及びこの非接触情報記録媒体の片面に積層された磁性体層を有したＩＣタグ部を備えた表示部材が２つの前記ＩＣタグ部を夫々の磁性体層間に導体層を挟んで一体化したされているので、表裏に記録された記録情報を分離して読み取ることができる。また、表示ボードに少なくとも２つ以上の第１のアンテナと、各第１のアンテナを包囲するように配置された第２のアンテナと、各第１のアンテナ及び第２のアンテナを保持する保持部材と、を備えたので、簡単な構成により効率良く記録情報を読み取ることができる。また表示部材読取装置は、表示ボードと、この表示ボードに備えられた第１のアンテナ又は第２のアンテナの何れか一つを選択するアンテナ選択器と、このアンテナ選択器により選択された何れか一つのアンテナにより受信した情報を読み取るリーダ又はリーダライタと、制御部と、を備えたので、簡単な構成で効率よく表示部材の位置の検出と記録情報を読み取りことができる。
【発明を実施するための最良の形態】
【００１５】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、一般的な表示部材用リーダライタの構成を示すブロック図である。この表示部材用リーダライタ（以下、単にリーダライタと呼ぶ）１００は、リーダライタ１００との間でデータの授受を行ってシステム全体を制御するＰＣ５０によって制御される。リーダライタ１００は、外部のＰＣ５０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＩＣカード（ＲＦタグ）との電力用搬送波とデータの授受をするループアンテナ９とを備えて構成されている。
【００１６】
図２は、ＩＣカード（非接触情報記録媒体）の構成を示すブロック図である。本実施形態のＩＣカード２００は、リーダライタ１００からの電力用搬送波によりデータの授受をするアンテナ２０と、書き込みコマンド読み出しコマンドを生成する送受信回路２１と、アンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＩＣカード２００の全体の動作を制御する制御回路２６から構成されている。
【００１７】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＩＣカード２００に供給する電力供給用信号と、ポーリング信号を交互に電力増幅器７から送信する。その信号は、ループアンテナ９から電磁波として外部に放射される。次に、ＩＣカード２００がリーダライタ１００に近接すると、アンテナ２０が電力供給用信号を受信し、電力生成回路２２によりその搬送波を整流して直流電力に変換して、ＩＣカード２００内の全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してアンテナ２０から送信する。このレスポンスをリーダライタ１００がループアンテナ９で受信して、検波復調器８で２値化コードに変換し、制御回路２により解析してＩＣカード２００が規格に合致したＩＣカードであると認識する。それにより、以後リーダライタ１００とＩＣカード２００の間でポーリングが行われる。
【００１８】
図３は本発明のアンテナパネルに保持された表示部材と磁束の関係を模式的に示す断面図である。表示部材３４は後述するように２つのＩＣタグ部３６ａ、３６ｂが導体層３２を挟んで積層されている。そしてアンテナ９がアンテナパネル４１の裏面に配置され、そこから放射された磁束３１が矢印のように表示部材３４のアンテナパネル側のＩＣタグ部３６ｂを貫通して、記録情報を読み取る構成になっている。従って、ＩＣタグ部３６ｂの記録情報に関する表示はＩＣタグ部３６ａの保護部材３５ａに表記され、ＩＣタグ部３６ａの記録情報に関する表示はＩＣタグ部３６ｂの保護部材３５ｂに表記される。
【００１９】
図４は本発明の表示部材の内部構成を示す断面図である。この表示部材３４は、ＩＣカード２００ａ及びＩＣカード２００ａを挟むように積層された磁性体層３３ａと保護部材３５ａとを有したＩＣタグ部３６ａと、ＩＣカード２００ｂ及びＩＣカード２００ｂを挟むように積層された磁性体層３３ｂと保護部材３５ｂとを有したＩＣタグ部３６ｂと、導体層３２と、を備えて構成されている。そして２つのＩＣタグ部３６ａ、３６ｂにより導体層３２を挟んで一体構成としている。尚、本実施形態では、保護部材３５ａ、３５ｂを夫々備えているが、必ずしも必要なものではない。また、導体層３２として銅、若しくはアルミニュウムが好ましい。また磁性体層３３としてはフェライトが好ましい。
図５は本発明のＩＣカードの構成を示す図である。このＩＣカード２００は、制御用ＩＣチップ２０１と、アンテナ２０と、制御用ＩＣチップ２０１及びアンテナ２０を保持する保持部材２０２と、を備えて構成されている。尚、ＩＣカード２００の外観形状は、可能な限り表示部材の外観形状と同じものが好ましい。また、アンテナを保護するために、アンテナ２０を保持部材２０２内部に埋め込む構成であっても構わない。
【００２０】
図６は本発明の一実施形態に係る表示ボードの外観構成図である。この表示ボード４５は、表面に表示部材３４を支持する支持体（凸部又は溝部）４６を備え、必要な箇所に表示部材３４を支持する構成になっている。この例では、上段に名札３４ａが掲げられ、下段に名札３４ａの人が出席か欠席かを示す出欠札３４ｂが掲げられている。即ち、出欠札３４ｂの表面に「出席」を表示し、裏面に「欠席」を表示することにより、どの人が出席か欠席かを目視により確認できると共に、名札３４ａと出欠札３４ｂに記録された記録情報を電子的に読み取ることができる。また、名札３４ａの位置情報と出欠札３４ｂを対応付けておくことにより、誰が出席か欠席かを電子的に管理することができる。
図７は図６の表示ボードの内部構成を透視的に示す図である。図７（ａ）は表面図であり、図７（ｂ）は側面図である。この表示ボード４５は、複数のアンテナ基板４３が横一列に配置されて格段を構成している。そして各アンテナ基板４３には小アンテナ（第１のアンテナ）９と、小アンテナ９を包囲するように配置された大アンテナ（第２のアンテナ）４０と、小アンテナ９及び大アンテナ４０を保持するアンテナパネル（保持部材）４１と、アンテナ基板４３を保護する裏カバー４４と、を備えて構成されている。
そして、小アンテナ９は、図６の表示部材３４ａ、３４ｂと夫々対向する位置に配置され、且つ夫々の小アンテナ９は、対向して配置された表示部材３４ａ、３４ｂに記録された記録情報のみを読み取るように構成されている。また大アンテナ４０は、大アンテナ４０から放射される磁束が小アンテナ９と対向して配置された表示部材３４ａ、３４ｂを同時に横切るように配置されている。尚、本実施形態では、３段構成の場合について説明したが、段数は何段でも構わない。
【００２１】
図８は本発明の表示部材読取装置の構成を示すブロック図である。この表示部材読取装置３００は、図６、７で説明した表示ボード４５と、表示ボード４５に備えられた小アンテナ９ａ〜９ｇ又は大アンテナ４０の何れか一つを選択するアンテナ選択器４２と、アンテナ選択器４２により選択された何れか一つのアンテナにより受信した情報を読み取るＲ／Ｗ（リーダ又はリーダライタ）１００と、ＰＣ（制御部）５０と、を備えて構成される。
そしてＰＣ５０は、アンテナ選択器４２により大アンテナ４０を選択した時に、Ｒ／Ｗ１００から記録情報が読み取られた場合、アンテナ選択器４２を小アンテナ９側に切り替えて順次選択し、がアンテナ９ａ〜９ｇから読み取られた記録情報をメモリに記憶していく。そのとき、何れの小アンテナから読み取られたかも検索することができる。またＰＣ５０は、アンテナ選択器４２により大アンテナ４０を選択した時に、Ｒ／Ｗ１００から記録情報が読み取られた場合、その記録情報を記憶しておき、次に大アンテナ４０を選択した時に直前に記憶された記録情報と比較して、この記録情報に変化が生じた場合、アンテナ選択器４２を小アンテナ９側に切り替えるものである。
【００２２】
図９は本発明の第１の実施形態に係る表示部材読取装置の動作を説明するフローチャートである。まずＰＣ５０はアンテナ選択器４２を駆動して大アンテナ４０を選択する（Ｓ１）。その状態でＲ／Ｗ１００は大アンテナ４０から表示部材３４の記録情報が読み取れるか否かをチエックする（Ｓ２）。そして何らかの記録情報が読み取られると（Ｓ２でＹＥＳのルート）、ＰＣ５０はアンテナ選択器４２を小アンテナ９ａに切り替える（Ｓ３）。そしてＲ／Ｗ１００は小アンテナ９ａから表示部材３４の記録情報を読み取ると（Ｓ４でＹＥＳのルート）、その記録情報をメモリに記憶し（Ｓ５）、アンテナ選択器４２により次の小アンテナ９ｂを選択する（Ｓ６）。一方、ステップＳ４で記録情報が読み取られない場合は（Ｓ４でＮＯのルート）、メモリに記憶しないでアンテナ選択器４２により次の小アンテナ９ｂを選択する（Ｓ６）。そして全ての小アンテナを選択するまで繰り返し（Ｓ７）、完了するとステップＳ１に戻って最初から動作を繰り返す。
【００２３】
図１０は第２の実施形態に係る表示部材読取装置の動作を説明するフローチャートである。まずＰＣ５０はアンテナ選択器４２を駆動して大アンテナ４０を選択する（Ｓ１１）。その状態でＲ／Ｗ１００は大アンテナ４０から表示部材３４の記録情報が読み取れるか否かをチエックする（Ｓ１２）。そして何らかの記録情報が読み取られると（Ｓ１２でＹＥＳのルート）、ＰＣ５０は既に記憶している情報と比較して、読み取った情報に変化があるかをチエックする（Ｓ１３）。そして読み取った情報と記憶している情報が異なっていると（Ｓ１３でＹＥＳのルート）、アンテナ選択器４２を小アンテナ９ａに切り替える（Ｓ１４）。そしてＲ／Ｗ１００は小アンテナ９ａから表示部材３４の記録情報を読み取ると（Ｓ１５でＹＥＳのルート）、その記録情報をメモリに記憶し（Ｓ１６）、アンテナ選択器４２により次の小アンテナ９ｂを選択する（Ｓ１７）。一方、ステップＳ１５で記録情報が読み取られない場合は（Ｓ１５でＮＯのルート）、メモリに記憶しないでアンテナ選択器４２により次の小アンテナ９ｂを選択する（Ｓ１７）。そして全ての小アンテナを選択するまで繰り返し（Ｓ１８）、完了するとステップＳ１１に戻って最初から動作を繰り返す。
【００２４】
以上の説明のとおり本発明によれば、ＩＣカード２００及びこのＩＣカード２００の片面に積層された磁性体層３３を有したＩＣタグ部３６を備えた表示部材３４が２つのＩＣタグ部３６ａ、３６ｂにより導体層３２を挟んで一体構成されているので、表裏に記録された記録情報を分離して読み取ることができる。
また、ＩＣカード２００は、制御用ＩＣチップ２０１と、アンテナ２０と、制御用ＩＣチップ２０１及びアンテナ２０を保持する保持部材２０２と、を備えているので、表示部材３４を容易に構成することができる。
また、表示ボード４５に少なくとも２つ以上の小アンテナ９と、各小アンテナ９を包囲するように配置された大アンテナ４０と、各小アンテナ９及び大アンテナ４０を保持するアンテナパネル４２と、を備えたので、簡単な構成により効率良く記録情報を読み取ることができる。
また、小アンテナ９は、表示部材３４と夫々対向する位置に配置され、且つ夫々の小アンテナ９は、対向して配置された表示部材３４に記録された記録情報のみを読み取るように構成されているので、表示部材３４から読み取った記録情報と小アンテナ９の位置情報を特定することができる。
【００２５】
また、大アンテナ４０は、この大アンテナ４０から放射される磁束が各小アンテナ９と対向して配置された表示部材３４を同時に横切るように配置されているので、表示部材３４が存在することを必ず検出することができる。
また、表示部材読取装置３００は、表示ボード４５と、この表示ボード４５に備えられた小アンテナ９ａ〜９ｇ又は大アンテナ４０の何れか一つを選択するアンテナ選択器４２と、このアンテナ選択器４２により選択された何れか一つのアンテナにより受信した情報を読み取るリーダライタ１００と、ＰＣ５０と、を備えたので、簡単な構成で効率よく表示部材３４の位置の検出と記録情報を読み取りことができる。
また、ＰＣ５０は、アンテナ選択器４２により大アンテナ４０を選択した時、リーダライタ１００から記録情報が読み取られた場合、アンテナ選択器４２を小アンテナ側に切り替えて順次選択し、記録情報がどの小アンテナから読み取られたかを検索するので、表示部材３４が存在しないときにアンテナの選択動作や読取動作といった不要な動作を省略することができる。
また、ＰＣ５０は、アンテナ選択器４２により大アンテナ４０を選択した時、リーダライタ１００から記録情報が読み取られた場合、この記録情報を記憶し、次に大アンテナ４０を選択した時に直前に記憶された記録情報と比較して、この記録情報に変化が生じた場合、アンテナ選択器４２を小アンテナ側に切り替えるので、大アンテナ４０により読み取った記録情報に変化が無い場合の不要な動作を防ぐことができる。
【図面の簡単な説明】
【００２６】
【図１】一般的な表示部材用リーダライタの構成を示すブロック図である。
【図２】ＩＣカード（非接触情報記録媒体）の構成を示すブロック図である。
【図３】本発明のアンテナパネルに保持された表示部材と磁束の関係を模式的に示す断面図である。
【図４】本発明の表示部材の内部構成を示す断面図である。
【図５】本発明のＩＣカードの構成を示す図である。
【図６】本発明の一実施形態に係る表示ボードの外観構成図である。
【図７】本発明の表示ボードの内部構成を透視的に示す図である。
【図８】本発明の表示部材読取装置の構成を示すブロック図である。
【図９】本発明の第１の実施形態に係る表示部材読取装置の動作を説明するフローチャートである。
【図１０】本発明の第２の実施形態に係る表示部材読取装置の動作を説明するフローチャートである。
【符号の説明】
【００２７】
９  小アンテナ、３２  導体層、３３  磁性体層、３４  表示部材、３５  保護部材、３６  ＩＣタグ部、４０  大アンテナ、４２  アンテナ選択器、４５  表示ボード、５０  ＰＣ、１００  Ｒ／Ｗ、２００  ＩＣカード、３００  表示部材読取装置
【図１】
2007257538.tif 000003
【図２】
2007257538.tif 000004
【図３】
2007257538.tif 000005
【図４】
2007257538.tif 000006
【図５】
2007257538.tif 000007
【図６】
2007257538.tif 000008
【図７】
2007257538.tif 000009
【図８】
2007257538.tif 000010
【図９】
2007257538.tif 000011
【図１０】
2007257538.tif 000012